(57)【要約】【課題】バイオセンサを使用して生体情報を測定する場合、誰でも何処でも手軽に生体情報を測定できるようにする。【解決手段】検体粘着シート１は、薄膜基板１３の片面に粘着層１４を設けると共に、この粘着層１４に剥離可能に接着された剥離層１５を設け、かつ、この粘着層１４と剥離層１５との間にバイオセンサ１６とＲＦＩＤ１８を配置し、このＲＦＩＤ１８に設定されているセンサＩＤとバイオセンサ１６によって得られた生体情報とを発信出力する構成となっている。この検体粘着シート１との間において情報の送受信動作を行う携帯型情報端末は、検体粘着シート１の剥離層１５を剥がし取ることによって検体粘着シート１が粘着層１４によって検体に接着されている状態において、ＲＦＩＤ１８から発信出力されたセンサＩＤ、生体情報を受信すると共に、このセンサＩＤと生体測定値とを対応付けて記憶管理し、この生体測定値を案内出力する。【選択図】  図２
2006058263.tif 000002
【特許請求の範囲】
【請求項１】
生体物質が固定化された膜上での生体反応の変化を検知するバイオセンサを使用して生体情報を測定する生体情報測定装置であって、
薄膜基板の片面に粘着層を設けると共に、この粘着層に剥離可能に接着された剥離層を設け、かつ、この粘着層と剥離層との間に前記バイオセンサと電子タグとを配置し、この電子タグ内に設定されているセンサ識別情報とバイオセンサによって得られた生体情報とを発信出力する検体粘着シートと、
この検体粘着シートを構成する剥離層を剥がし取ることによって当該検体粘着シートが前記粘着層によって検体に接着されている状態において前記発信出力されたセンサ識別情報、生体情報を受信する受信手段と、この受信手段によって得られたセンサ識別情報と生体情報とを対応付けて記憶管理する情報記憶手段と、この情報記憶手段の内容を出力する出力手段とを有する携帯型情報端末と、
を具備したことを特徴とする生体情報測定装置。
【請求項２】
前記検体粘着シートの薄膜基板は、曲面形状の検体にも装着可能とするために可撓性フイルム部材によって構成したことを特徴とする請求項1記載の生体情報測定装置。
【請求項３】
前記検体粘着シート内の電子タグは、アンテナ付きのＲＦＩＤタグであり、このアンテナで受信した受信電波の電気エネルギーを蓄積し、この蓄積エネルギーを利用して前記センサ識別情報、生体情報を発信出力する、
ようにしたことを特徴とする請求項1記載の生体情報測定装置。
【請求項４】
前記携帯型情報端末は、前記検体粘着シートとの間で無線電波を送受信するアンテナを有するほか、予め決められている測定タイミングに到達したか否かを監視する監視手段を有し、
前記測定タイミングに到達したことが検出された際に前記アンテナに給電を行うことによって前記検体粘着シートからセンサ識別情報、生体情報を発信出力させる、
ようにしたことを特徴とする請求項１あるいは請求項３記載の生体情報測定装置。
【請求項５】
前記携帯型情報端末は、
前記検体粘着シートが新たに装着されてからの経過時間毎に生体情報を補正するための補正値を記憶する補正値記憶手段と、
新たなセンサ識別情報を受信したか否かに基づいて新たな検体粘着シートが装着されたか否かを判別する判別手段と、
この判別手段によって新たな検体粘着シートが装着されたことが判別された際に、この検体粘着シートが装着されてからの経過時間を計時する計時手段と、
この計時手段によって得られた経過時間に対応する補正値を前記補正値記憶手段から読み出して当該経過時の生体情報を補正する補正手段と、
を設けたことを特徴とする請求項1あるいは請求項４記載の生体情報測定装置。
【請求項６】
前記補正手段は、受信したセンサ識別情報に基づいてバイオセンサの種類を判別すると共に、バイオセンサの種類に応じた補正値で生体情報を補正する、
ようにしたことを特徴とする請求項５記載の生体情報測定装置。
【請求項７】
現在装着されているバイオセンサに変わって同一種類のセンサが新たに装着されてセンサの交換が行われた際に、今までに装着されていたセンサと新たに装着されたセンサによって得られた生体情報を連続的な情報として記憶管理する、
ようにしたことを特徴とする請求項１記載の生体情報測定装置。
【請求項８】
前記携帯型情報端末は、センサ識別情報を受信する毎に、受信したセンサ識別情報と予め設定されているセンサ識別情報とを比較することによって正規なバイオセンサであるか否かを判別する判別手段を設け、この判別手段によって正規なバイオセンサであることが判別されたことを条件に、当該センサ識別情報に対応して生体情報を記憶管理する、
ようにしたことを特徴とする請求項１記載の生体情報測定装置。
【請求項９】
前記携帯型情報端末は、
新たなセンサ識別情報を受信したか否かに基づいて新たな検体粘着シートが装着されたか否かを判別する判別手段と、
この判別手段によって新たな検体粘着シートが装着されたことが判別された際に、この検体粘着シートが装着されてからの経過時間を計時する計時手段と、
この計時手段によって得られた経過時間が予め決められているセンサ交換時期に達したことが検出された際に、検体に装着されている現在の検体粘着シートを交換すべき旨を報知する報知手段と、
を設けたことを特徴とする請求項１記載の生体情報測定装置。
【請求項１０】
前記出力手段は、前記情報記憶手段内に同一のセンサ識別情報に対応付けて記憶管理されている複数の生体情報に基づいてその推移状態をグラフ表示する、
ようにしたことを特徴とする請求項１記載の生体情報測定装置。
【請求項１１】
コンピュータに対して、
薄膜基板の片面に粘着層を設けると共に、この粘着層に剥離可能に接着された剥離層を設け、かつ、この粘着層と剥離層との間にバイオセンサと電子タグとを配置した薄型の検体粘着シートが検体に接着されている状態において前記電子タグ内に設定されているセンサ識別情報とバイオセンサによって得られた生体情報が当該検体粘着シート側から発信出力された際に、このセンサ識別情報、生体情報を受信する機能と、
受信したセンサ識別情報と生体情報とを対応付けて記憶管理する機能と、
記憶管理されている生体情報を出力する機能と、
を実現させるためのプログラム。
【発明の詳細な説明】
【技術分野】
【０００１】
この発明は、生体物質が固定化された膜上での生体反応の変化を検知するバイオセンサを使用して生体情報を測定する生体情報測定装置およびプログラムに関する。
【背景技術】
【０００２】
一般に、生体がもつ物質検知能力を利用したバイオセンサは、生体物質が固定化された膜と、電気化学デバイスとから構成され、膜上で生体反応が起こると、その変化を電気化学デバイスが検出して電気信号に変換するもので、生体物質によって酵素センサ、免疫センサ、微生物センサなどに分類されている。この場合、酵素センサは、医療、食品、発酵などの分野で実用化されているが、酵素センサを定期的に交換するか、繰り返して使用する場合には、電極部分の洗浄を行って新しい酵素を復元する必要があった。
ところで、従来、バイオセンサ側の電極部を測定装置側の電極部に接続し、試料溶液中の測定対象物質を測定する方法が知られている（特許文献１参照）。
【特許文献１】特開２００１−２１５２６号公報
【発明の開示】
【発明が解決しようとする課題】
【０００３】
しかしながら、上述した特許文献のようにバイオセンサを測定装置に直接的に接続する構成では、常に、バイオセンサと測定装置とが不可分の関係となり、全体構成が大型化したり、その保守管理を必要とする結果、医療機関などの専門分野での利用に限られてしまい、一般の人達が手軽に利用することはできなかった。また、センサを繰り返して使用する場合には、その都度、電極部分の洗浄等が必要になっていた。
【０００４】
この発明の課題は、バイオセンサを使用して生体情報を測定する場合、誰でも何処でも手軽に生体情報を測定できるようにすることである。
【課題を解決するための手段】
【０００５】
請求項１記載の発明は、生体物質が固定化された膜上での生体反応の変化を検知するバイオセンサを使用して生体情報を測定する生体情報測定装置であって、薄膜基板の片面に粘着層を設けると共に、この粘着層に剥離可能に接着された剥離層を設け、かつ、この粘着層と剥離層との間に前記バイオセンサと電子タグとを配置し、この電子タグ内に設定されているセンサ識別情報とバイオセンサによって得られた生体情報とを発信出力する検体粘着シートと、この検体粘着シートを構成する剥離層を剥がし取ることによって当該検体粘着シートが前記粘着層によって検体に接着されている状態において前記発信出力されたセンサ識別情報、生体情報を受信する受信手段と、この受信手段によって得られたセンサ識別情報と生体情報とを対応付けて記憶管理する情報記憶手段と、この情報記憶手段の内容を出力する出力手段とを有する携帯型情報端末とを具備したことを特徴とする。
さらに、コンピュータに対して、上述した請求項１記載の発明に示した主要機能を実現させるためのプログラムを提供する（請求項１１記載の発明）。
なお、バイオセンサとは、生体がもつ物質検知能力を利用するものであるが、広義には、生体に関する情報を皮膚などを通して検知可能な生体センサであることを意味している(以下、同様)。
【０００６】
なお、請求項１記載の発明は次のようなものであってもよい。
前記検体粘着シートの薄膜基板は、曲面形状の検体にも装着可能とするために可撓性フイルム部材によって構成する（請求項２記載の発明）。
【０００７】
前記検体粘着シート内の電子タグは、アンテナ付きのＲＦＩＤタグであり、このアンテナで受信した受信電波の電気エネルギーを蓄積し、この蓄積エネルギーを利用して前記センサ識別情報、生体情報を発信出力する（請求項３記載の発明）。なお、ＲＦＩＤ (Radio Frequency Identification)タグは、無線電波を使用して交信を行う微小チップであり、非接触電力伝送技術によって電池を不用としたものである(以下、同様)。
【０００８】
前記携帯型情報端末は、前記検体粘着シートとの間で無線電波を送受信するアンテナを有するほか、予め決められている測定タイミングに到達したか否かを監視する監視手段を有し、前記測定タイミングに到達したことが検出された際に前記アンテナに給電を行うことによって前記検体粘着シートからセンサ識別情報、生体情報を発信出力させる（請求項４記載の発明）。
【０００９】
前記携帯型情報端末は、前記検体粘着シートが新たに装着されてからの経過時間毎に生体情報を補正するための補正値を記憶する補正値記憶手段と、新たなセンサ識別情報を受信したか否かに基づいて新たな検体粘着シートが装着されたか否かを判別する判別手段と、この判別手段によって新たな検体粘着シートが装着されたことが判別された際に、この検体粘着シートが装着されてからの経過時間を計時する計時手段と、この計時手段によって得られた経過時間に対応する補正値を前記補正値記憶手段から読み出して当該経過時の生体情報を補正する補正手段とを設ける（請求項５記載の発明）。
この場合、前記補正手段は、受信したセンサ識別情報に基づいてバイオセンサの種類を判別すると共に、バイオセンサの種類に応じた補正値で生体情報を補正するようにしてもよい（請求項６記載の発明）。
【００１０】
現在装着されているバイオセンサに変わって同一種類のセンサが新たに装着されてセンサの交換が行われた際に、今までに装着されていたセンサと新たに装着されたセンサによって得られた生体情報を連続的な情報として記憶管理する（請求項７記載の発明）。
【００１１】
前記携帯型情報端末は、センサ識別情報を受信する毎に、受信したセンサ識別情報と予め設定されているセンサ識別情報とを比較することによって正規なバイオセンサであるか否かを判別する判別手段を設け、この判別手段によって正規なバイオセンサであることが判別されたことを条件に、当該センサ識別情報に対応して生体情報を記憶管理する（請求項８記載の発明）。
【００１２】
前記携帯型情報端末は、新たなセンサ識別情報を受信したか否かに基づいて新たな検体粘着シートが装着されたか否かを判別する判別手段と、この判別手段によって新たな検体粘着シートが装着されたことが判別された際に、この検体粘着シートが装着されてからの経過時間を計時する計時手段と、この計時手段によって得られた経過時間が予め決められているセンサ交換時期に達したことが検出された際に、検体に装着されている現在の検体粘着シートを交換すべき旨を報知する報知手段とを設ける（請求項９記載の発明）。
【００１３】
前記出力手段は、前記情報記憶手段内に同一のセンサ識別情報に対応付けて記憶管理されている複数の生体情報に基づいてその推移状態をグラフ表示する（請求項１０記載の発明）。
【発明の効果】
【００１４】
請求項１記載の発明によれば、薄膜基板の片面に粘着層を設けると共に、この粘着層に剥離可能に接着された剥離層を設け、かつ、この粘着層と剥離層との間にバイオセンサと電子タグとを配置し、この電子タグ内に設定されているセンサ識別情報とバイオセンサによって得られた生体情報とを発信出力する検体粘着シートと、この検体粘着シートとの間で送受信動作を行う携帯型情報端末とを具備し、携帯型情報端末は、検体粘着シートを構成する剥離層を剥がし取ることによって検体粘着シートが粘着層によって検体に接着されている状態において検体粘着シート内の電子タグから発信出力されたセンサ識別情報、生体情報を受信すると共に、このセンサ識別情報と生体情報とを対応付けて記憶管理して出力するようにしたから、検体粘着シートと携帯型情報端末とを分離した構成とすることができると共に、検体粘着シートを人体の皮膚などに貼り付けるだけでよく、誰でも何処でも手軽に生体情報を測定することが可能となる。この場合、検体粘着シートと携帯型情報端末とを分離しても、携帯型情報端末は、センサ識別情報と生体情報とを対応付けて記憶管理するため、不用意に検体粘着シートが剥がれ落ちたり、新しい検体粘着シートに交換されたとしても、センサと測定結果との対応付けを保持することができ、生体情報を正確に測定することが可能となる。更に、検体粘着シートは、携帯型情報端末と分離して、安価に構成することができるので、例えば、バイオセンサの検出能力が劣化した場合でも、検体粘着シートを貼りかえることによって生体情報の検出が可能である。
【００１５】
請求項２記載の発明によれば、上述した請求項１記載の発明と同様の効果を有する他、検体粘着シートの薄膜基板は、曲面形状の検体にも装着可能とするために可撓性フイルム部材によって構成するようにしたから、人体のどの部位であっても検体粘着シートを確実に装着することができる。
【００１６】
請求項３記載の発明によれば、上述した請求項１記載の発明と同様の効果を有する他、検体粘着シート内の電子タグは、アンテナ付きのＲＦＩＤタグであり、このアンテナで受信した受信電波の電気エネルギーを蓄積し、この蓄積エネルギーを利用して前記センサ識別情報、生体情報を発信出力するようにしたから、非接触電力伝送技術によって電池を不用とすることができ、検体粘着シートの小型薄型化を実現することが可能となる。
【００１７】
請求項４記載の発明によれば、上述した請求項１記載の発明と同様の効果を有する他、携帯型情報端末は、検体粘着シートとの間で無線電波を送受信するアンテナを有するほか、予め決められている測定タイミングに到達したか否かを監視し、この測定タイミングに到達したことが検出された際にアンテナに給電を行うことによって検体粘着シートからセンサ識別情報、生体情報を発信出力させるようにしたから、消費電力を抑えることができ、内蔵電池の長寿命化を図ることができるなど、実用性に富んだものとなる。
【００１８】
請求項５記載の発明によれば、上述した請求項１記載の発明と同様の効果を有する他、携帯型情報端末は、新たなセンサ識別情報を受信したか否かに基づいて新たな検体粘着シートが装着されたか否かを判別すると共に、新たな検体粘着シートが装着された際に、この検体粘着シートが装着されてからの経過時間を計時し、この経過時間に対応する補正値で当該経過時の生体情報を補正するようにしたから、バイオセンサを構成する酵素などの生体物質が経時的な変化によってに劣化したとしても、その影響を防ぎ、生体情報を常に正確に測定することが可能となる。
【００１９】
ここで、受信したセンサ識別情報に基づいてバイオセンサの種類を判別すると共に、バイオセンサの種類に応じた補正値で生体情報を補正するようにすれば（請求項６記載の発明）、センサを構成する生体物質の劣化などによる影響をセンサの種類毎に補正することができる。
【００２０】
請求項７記載の発明によれば、上述した請求項１記載の発明と同様の効果を有する他、現在装着されているバイオセンサに変わって同一種類のセンサが新たに装着されてセンサの交換が行われた際に、今までに装着されていたセンサと新たに装着されたセンサによって得られた生体情報を連続的な情報として記憶管理するようにしたから、不用意に検体粘着シートが剥がれ落ちたり、新しい検体粘着シートに交換されたとしても、センサと測定結果との対応付けを保持することができ、生体情報を正確に測定することが可能となる。
【００２１】
請求項８記載の発明によれば、上述した請求項１記載の発明と同様の効果を有する他、携帯型情報端末は、センサ識別情報を受信する毎に、受信したセンサ識別情報と予め設定されているセンサ識別情報とを比較することによって正規なバイオセンサであるか否かを判別し、正規なバイオセンサであることが判別されたことを条件に、当該センサ識別情報に対応して生体情報を記憶管理するようにしたから、たとえば、検体粘着シートを装着している本人以外の第三者がその携帯型情報端末を使用して生体情報を盗み読みすることを効果的に防止することができ、生体情報という個人情報の確実なセキュリティ管理が可能なものとなる。
【００２２】
請求項９記載の発明によれば、上述した請求項１記載の発明と同様の効果を有する他、携帯型情報端末は、新たなセンサ識別情報を受信したか否かに基づいて新たな検体粘着シートが装着されたか否かを判別すると共に、新たな検体粘着シートが装着された際に、この検体粘着シートが装着されてからの経過時間を計時し、この経過時間が予め決められているセンサ交換時期に達したことが検出された際に、検体に装着されている現在の検体粘着シートを交換すべき旨を報知するようにしたから、検体粘着シートを交換時期を即座に知ることができ、より正確な測定が可能となる。
【００２３】
請求項１０記載の発明によれば、上述した請求項１記載の発明と同様の効果を有する他、同一のセンサ識別情報に対応付けて記憶管理されている複数の生体情報に基づいてその推移状態をグラフ表示するようにしたから、たとえば、最大値のような１つの測定結果に限らず、経時的な変化を知ることができる。
【発明を実施するための最良の形態】
【００２４】
以下、図１〜図１２を参照して本発明の実施例を説明する。
図１は、検体粘着シート１と携帯型情報端末２とを人体の腕に装着した状態を示した外観図であり、図２(Ａ)は、検体粘着シート１の全体側面図であり、(Ｂ)は、検体粘着シート１の主要部分における拡大断面図である。
検体粘着シート１は、小型薄型のシート部材であり、曲面形状の検体にも装着可能とするために可撓性(柔軟性)部材によって構成されている。なお、検体粘着シート１は、図２(Ａ)に示すように、その中央部分が下方(検体側)に膨出した膨出部１１と、この膨出部１１を囲む周辺部１２とを有し、図２(Ｂ)は、この膨出部１１の拡大断面図である。携帯型情報端末２は、アンテナ付きの腕時計であり、手首付近に装着された検体粘着シート１と携帯型情報端末２とは距離的に近い位置関係となっている。
【００２５】
検体粘着シート１は、薄膜基板１３の片面に粘着層１４を設けると共に、この粘着層１４に剥離可能に接着された剥離層１５を設け、かつ、この粘着層１４と剥離層１５との間にバイオセンサ１６、アンテナ１７付きの電子タグ１８とを配置すると共に、このバイオセンサ１６、アンテナ１７付きの電子タグ１８と剥離層１３との間に中間保護層１９を配置した構成となっている。薄膜基板１３は、曲面形状の検体にも装着可能とするために可撓性のフイルム部材によって構成された表面保護層である。剥離層１５は、粘着層１４に剥離可能に接着されたもので、この剥離層１５を剥がし取ることによって検体粘着シート１がその周辺部１２にある粘着層１４によって検体(人体)に接着される。なお、周辺部１２は、薄膜基板１３、粘着層１４、剥離層１５によって構成されており、剥離層１５を剥がし取ることによって周辺部１２の粘着層１４が人体に接着されることによって検体粘着シート１の装着が行われる。この場合、剥離層１５を剥がし取ることによってバイオセンサ１６は、人体の皮膚に直接的に接触し、皮膚を介して得られた生体情報を検知する皮膚接触型のセンサである。なお、検体粘着シート１は、比較的角質層の少ない人体の部位として手首付近の腕の内側に装着される例をもとに説明するが、その他の角質層の少ない人体の部位に貼り付けても良い。
【００２６】
バイオセンサ１６は、たとえば、酵素センサであり、グルコース(血糖値)を検知するグルコースセンサ、匂いを検知する匂いセンサなどである。なお、酵素センサは、検体に含まれる基質と酵素との反応によって生成される電子受容体を還元するもので、この還元量を電子化学的に測定することによって検体の生体情報としてグルコースなどの測定を行う際に使用される。アンテナ１７付きの電子タグ１８は、ＲＦＩＤ (Radio Frequency Identification)タグであり、無線電波を使用して交信を行う微小チップで、非接触電力伝送技術によって電池を不用としたものである。なお、以下、電子タグをＲＦＩＤと呼称する。中間保護層１９は、バイオセンサ１６、アンテナ１７付きのＲＦＩＤ１８の下側に配置されてそれらを保護するもので、弾性を有する粘着層によって構成されている。また、中間保護層１９は、薄膜部材によって構成され、検体粘着シート１の周辺部１２以外の膨出部１１に設けられており、剥離層１５を剥がし取ることによって周辺部１２の粘着層１４が人体に接着される。この場合、上述したように、剥離層１５を剥がし取ることによってバイオセンサ１６が人体の皮膚に直接的に接触するように、バイオセンサ１６に対応する中間保護層１９の部分は、開口し、この開口部を通してバイオセンサ１６が皮膚に接触するようになる。
【００２７】
図３は、検体粘着シート１から剥離層１５および中間保護層１９を取り除くと共に、その裏側(検体側)から検体粘着シート全体を見た場合の図である。
ここで、ＲＦＩＤ１８には、検体粘着シート１全体に環状に張り巡らされたアンテナ１７がリード線１７Ｒを介して接続されていると共に、バイオセンサ１６がリード線１６Ｒを介して接続されている。ここで、図４(Ａ)は、ＲＦＩＤ１８の側面図であり、(Ｂ)は、その裏面図であり、ＲＦＩＤ１８の一端両面部には、図４(Ａ)に示すように、アンテナ電極１８ＡＴとセンサ電極１８ＳＴが設けられている。すなわち、ＲＦＩＤ１８の表面側には、アンテナ電極１８ＡＴが設けられ、裏面側(検体側)にはセンサ電極１８ＳＴが設けられている。この場合、ＲＦＩＤ１８の表面側に設けられている一対のアンテナ電極１８ＡＴは、リード線１７Ｒを介してアンテナ１７に接続され、また、ＲＦＩＤ１８の裏面側(検体側)に設けられている一対のセンサ電極１８ＳＴは、リード線１６Ｒを介してバイオセンサ１６に接続されている。
【００２８】
図５は、携帯型情報端末(腕時計)２の外観正面図である。
この携帯型情報端末２は、たとえば、デジタル表示式の腕時計を構成するもので、その時計ケース２１の上面部に環状のＲＦＩＤ用アンテナ２２が設けられている。このＲＦＩＤ用のアンテナ２２の設置位置は、任意であり、時計ケース２１の開口部内周面にＲＦＩＤ用のアンテナ２２を設けてもよく、また、時計バンドの内側手首の付近に設けるようにしてもよい。なお、手首の内側は、角質層が薄く生体測定の部位として適しているため、検体粘着シート１を手首付近の腕の内側に貼着した場合、時計バンドの内側手首の付近にＲＦＩＤ用のアンテナ２２を設ければ、電波到達範囲が狭くても、つまり、送信電波強度あるいは受信電波感度が低くとも常時確実にデータを送受信することが可能となる。なお、検体粘着シート１をその他の角質層の少ない人体の部位に貼り付けた場合には、測定時にはその都度、携帯型情報端末２を検体粘着シート１の近傍に位置させてデータの送受信を行う。
【００２９】
図６は、ＲＦＩＤ１８の回路構成を示した図である。
ＲＦＩＤ１８は、ＣＰＵ１０１を中核とするもので、アンテナ１７に接続されている電波送受信部１０２と、アンテナ１７からの受信電波を電波送受信部１０２によって検波した際に、その検波信号を直流電圧または直流電流に変換する整流平滑部１０３と、受信電波によって得られた電気エネルギーを蓄積する蓄積部１０４と、センサ識別情報などが記憶され、記憶内容を消去可能なＥＥＰＲＯＭ１０５のほか、バイオセンサ１６に接続されている測定回路１０６を有する構成となっている。
【００３０】
ここで、蓄積部１０４に蓄積された電気エネルギーを電源として、ＣＰＵ１０１、電波送受信部１０２、ＥＥＰＲＯＭ１０５、測定回路１０６が動作するもので、測定回路１０６は、バイオセンサ１６によって検知された生体反応の変化を生体情報として測定してＣＰＵ１０１に与える。ここで、ＣＰＵ１０１は、この測定回路１０６によって得られた生体情報とＥＥＰＲＯＭ１０５に格納されているセンサ識別情報を電波送受信部１０２に与えることで、この電波送受信部１０２によって変調された生体情報、センサ識別情報をアンテナ１７から発信出力させる。
【００３１】
図７は、携帯型情報端末(腕時計)２の回路構成図である。
携帯型情報端末２は、ＣＰＵ２０１を中核とするもので、計時用基本クロックなどを発生出力するクロック信号発生器２０２と、プログラムおよびデータが格納されているＲＯＭ２０３と、作業用のＲＡＭ２０４と、液晶画面を構成する表示部２０５と、各種のボタン操作に応じた操作信号を出力する入力部２０６、電池を備えた電源回路２０７のほか、ＲＦＩＤ用アンテナ２２に接続されている電波送受信部２０８と、無線電波によって外部機器との間でデータの送受信を行う送受信制御部２０９を有する構成となっている。ここで、ＣＰＵ２０１は、予め決められている測定タイミングに到達したか否かを監視し、測定タイミングに到達したことが検出された際に、電源回路２０７からの電池電圧を電波送受信部２０８に印加することによってＲＦＩＤ用アンテナ２２に対して給電を行い、検体粘着シート１からセンサ識別情報、生体情報を発信出力させるようにしている。
【００３２】
電波送受信部２０７は、無線電波によって検体粘着シート１との間で情報の送受信を行うもので、検体粘着シート１から発信出力されたセンサ識別情報、生体情報を受信した際に、このセンサ識別情報、生体情報をＣＰＵ２０１に与える。ＣＰＵ２０１は、このセンサ識別情報と生体情報とを対応付けてＲＡＭ２０４に格納するようにしている。送受信制御部２０９は、検体粘着シート１を新規購入する際に、その店舗内に設置されている店舗サーバ(図示せず)との間で無線電波によって情報の送受信を行うもので、購入した検体粘着シート１に設定されているセンサ識別情報を店舗サーバからダウンロードしてＲＡＭ２０４に初期設定するようにしている。なお、初期設定されたセンサ識別情報は、生体情報測定時に正規な検体粘着シート１が装着されたか否かをチェックするための認証用の情報として使用される。
【００３３】
図８は、携帯型情報端末２に設けられている測定結果テーブル２３の内容を示した図である。
この測定結果テーブル２３は、検体粘着シート１からセンサ識別情報、生体情報が発信出力させる毎に、測定レコードを作成して、センサ識別情報と生体情報とを対応付けて記憶管理するもので、各測定レコードは、「センサＩＤ」、「センサ種類」、「測定日時」、「測定値」、「補正値」の各項目を有している。「センサＩＤ」は、センサ識別情報を示すもので、個々のセンサを識別するためのＩＤ情報であり、新たな検体粘着シート１が検体に装着された際に、この検体粘着シート１から発信出力されたセンサＩＤを記憶管理する。
【００３４】
「センサ種類」は、センサの種類を示す情報であり、たとえば、グルコース(血糖値)を検知するグルコースセンサ、匂いを検知する匂いセンサなどのようにバイオセンサ１６の種類を示している。「測定日時」は、検体粘着シート１から生体情報を取得した際の受信日時であり、「測定値」は、検体粘着シート１から取得した生体情報値である。「補正値」は、検体粘着シート１が新たに装着されてからの経過時間に応じて生体情報を補正するための補正値であり、後述する補正値テーブル２４から自動取得した値である。
【００３５】
図９は、携帯型情報端末２に設けられている補正値テーブル２４の内容を示した図である。
この補正値テーブル２４は、バイオセンサ１６の種類に対応して検体粘着シート１が新たに装着されてからの経過時間に応じて生体情報を補正するための補正値が設定されているもので、一般にバイオセンサは時間の経過と共に測定精度が劣化することを考慮したものである。各補正値レコードは、「センサの種類」、「センサ交換からの経過時間(分)」、「補正データ」の各項目を有し、「センサ交換からの経過時間」は、検体粘着シート１が新たに装着されてからの経過時間であり、たとえば、センサの種類(Ａ)に対応して３０分後、６０分後、１２０分後、‥‥が設定され、センサの種類(Ｂ)に対応して２０分後、４５分後、７０分後、‥‥が設定されている。「補正データ」は、検体粘着シート１が新たに装着されてからの経過時間に応じて生体情報を補正するための補正値であり、経過時間毎に設定され、たとえば、センサの種類(Ａ)の３０分後に対応して「０」、６０分後に対応して「α１」、１２０分後に対応して「α２」、‥‥が設定されている。
【００３６】
図１０は、携帯型情報端末２に設けられているセンサ設定テーブル２５の内容を示した図である。
このセンサ設定テーブル２５は、センサＩＤの内容に基づいてセンサの種類を決定したり、センサの種類に対応して測定タイミングを決定したり、センサの交換時期を決定する際に用いられるもので、「センサＩＤの範囲」に対応して「センサの種類」が設定されていると共に、この「センサの種類」に対応して「測定時間間隔」、「センサ交換時間(分)」が設定されている。たとえば、センサＩＤの４桁〜６桁が「４６５」の場合には、センサの種類として(Ａ)が設定され、「８７９」の場合には、センサの種類として(Ｂ)が設定されている。
【００３７】
ここで、センサ種テーブル２５を参照することによって自動決定されたセンサ種は、測定結果テーブル２３の「センサの種類」の項目に登録される。「測定時間間隔」は、生体情報を測定するための測定タイミングを定義するもので、たとえば、センサの種類(Ａ)に対応して「６０分」が設定されている。なお、「測定時間間隔」の値はセンサの種類などに応じて任意である。「センサ交換時間(分)」は、新たな検体粘着シート１が装着されてからの経過時間を示したもので、この時間が経過した際には、センサの交換を促すための警告メッセージを表示出力させるようにしている。
【００３８】
図１１は、携帯型情報端末２に設けられているセンサ認証テーブル２６の内容を示した図である。
このセンサ認証テーブル２６は、予め測定可能なセンサＩＤを記憶管理するもので、上述したように、検体粘着シート１を新規購入する際に、その店舗内に設置されている店舗サーバからダウンロードした当該センサＩＤがセンサ認証テーブル２６に登録される。この場合、センサ認証テーブル２６に登録されているセンサＩＤと検体粘着シート１から発信出力されたセンサＩＤとを比較し、予め許可されている正規なセンサＩＤか否かを調べるセンサ認証処理を実行することによって検体粘着シート１を装着している本人以外の第三者がその携帯型情報端末２を使用して生体情報を盗み読みすることを防止するようにしている。
【００３９】
次ぎに、この実施例における携帯型情報端末２の動作概念を図１２示すフローチャートを参照して説明する。ここで、このフローチャートに記述されている各機能は、読み取り可能なプログラムコードの形態で格納されており、このプログラムコードにしたがった動作が逐次実行される。また、伝送媒体を介して伝送されてきた上述のプログラムコードに従った動作を逐次実行することもできる。すなわち、記録媒体のほかに、伝送媒体を介して外部供給されたプログラム／データを利用してこの実施例特有の動作を実行することもできる。
【００４０】
図１２は、携帯型情報端末２側において、測定開始ボタン(図示せず)が操作された際に実行開始される生体情報測定処理を示したフローチャートである。
先ず、ＣＰＵ２０１は、生体情報の測定開始を指示するための測定開始ボタンの操作有無を監視しており、測定開始ボタンが操作された際には、初期化処理を実行した後(ステップＳ１)、ＲＦＩＤ用アンテナ２２の給電を開始し、この電力を電波としてアンテナ２２から発信出力させる(ステップＳ２)。
【００４１】
いま、たとえば、検体粘着シート１が手首の内側付近に装着されている状態において、検体粘着シート１側では、そのアンテナ１７からの受信電波によって得られた電気エネルギーが蓄積部１０４に蓄積されることによりＣＰＵ１０１、電波送受信部１０２、ＥＥＰＲＯＭ１０５、測定回路１０６が動作し、測定回路１０６は、バイオセンサ１６によって検知された生体反応の変化を生体情報として測定し、ＣＰＵ１０１は、この測定回路１０６によって得られた生体情報とＥＥＰＲＯＭ１０５に格納されているセンサＩＤを発信出力させる。
【００４２】
ここで、携帯型情報端末２側において、ＣＰＵ２０１は、検体粘着シート１から発信出力されたセンサＩＤを受信取得すると(ステップＳ３)、このセンサＩＤに基づいてセンサ認証テーブル２６をアクセスし、予め許可されている正規なセンサＩＤか否かを認証するセンサ認証処理を実行し、予め許可された正規なセンサＩＤか否かをチェックする(ステップＳ４)。ここで、正規なセンサＩＤでなければ(ステップＳ４でＮＯ)、ＲＦＩＤ用アンテナ２２の給電を停止させると共に(ステップＳ５)、許可されているセンサではないことを示す警告メッセージを表示出力させる(ステップＳ６)。そして、生体情報測定処理を終了させてその他の処理に移る。
【００４３】
一方、予め許可されている正規なセンサＩＤであることが判別された場合には(ステップＳ４でＹＥＳ)、今回受信取得したセンサＩＤは、新たなセンサＩＤか否かを調べる(ステップＳ７)。すなわち、測定結果テーブル２３を検索して、今回受信したセンサＩＤと測定結果テーブル２３にセットされているセンサＩＤとを比較し、それらの一致／不一致に基づいて新たなセンサＩＤか否か、言い換えれば、新たな検体粘着シート１が検体に装着されたか否かをチェックする。最初は、測定結果テーブル２３にはセンサＩＤがセットされていないので、ステップＳ７で不一致と判別される。この場合、受信したセンサＩＤを測定結果テーブル２３にセットして保存登録した後に(ステップＳ８)、新たな検体粘着シート１が装着されてからの経過時間を計時する加算タイマ(図示せず)をクリアスタートさせる(ステップＳ９)。
【００４４】
そして、ＣＰＵ２０１は、検体粘着シート１から発信出力された生体情報を「測定値」として受信取得した後(ステップＳ１０)、ＲＦＩＤ用アンテナ２２の給電を停止させる(ステップＳ１１)。その後、受信取得したセンサＩＤに基づいてセンサ設定テーブル２５をアクセスし、このセンサＩＤに対応する「センサの種類」を取得すると共に、上述の加算タイマによって計時されたタイマ時間を取得し(ステップＳ１２)、この「センサの種類」と「タイマ時間」に基づいて補正値テーブル２４をアクセスすることによって対応する「補正値」を読み出し取得する(ステップＳ１３)。なお、新たな検体粘着シート１を装着した直後において「タイマ時間」は、３０分以内のため、補正値として“０”が読み出される。
【００４５】
そして、現在日時を「測定日時」として取得すると共に、この「測定日時」、「センサの種類」、「測定値」、「補正値」を測定結果テーブル２３の対応項目にセットする(ステップＳ１４)。このようにして先頭の測定レコードを作成して記憶管理している状態において、ＣＰＵ２０１は、当該レコード内の「測定値」をその「補正値」に基づいて補正する(ステップＳ１５)。この場合、補正の仕方は任意であり、センサの種類によって異なるが、たとえば、「測定値」に「補正値」を加算することによって補正するようにしてもよい。このようにして測定値を補正した後は、この補正後の測定結果を推移グラフとして表示出力させる(ステップＳ１６)。このグラフ表示画面は、現在日時を表示する時計画面から生体情報表示画面に切り換えられたもので、センサの種類およびタイマ時間が案内表示されるほか、測定タイミング毎に得られた測定結果が時間経過に対応した推移グラフ(棒グラフ)として表示出力されるが、最初は、１つの測定結果のみの表示となる。
【００４６】
そして、ステップＳ１７に移ってタイマ時間を取得すると共に、「センサの種類」に基づいてセンサ設定テーブル２５を検索して該当する「測定時間間隔」を読み出し、この「タイマ時間」と「測定時間間隔」とを比較することによって「タイマ時間」は「測定時間間隔」の整数倍に達したか、つまり、測定タイミングに到達したかをチェックする(ステップＳ１８)。いま、「タイマ時間」が「測定時間間隔」である“６０分”に達した際には、測定タイミングに到達したと判別されるため、上述のステップＳ２に移り、再び、アンテナの給電した後、今回受信したセンサＩＤが予め許可されている正規なセンサＩＤであれば(ステップＳ４でＹＥＳ)、新しいセンサＩＤかを調べる(ステップＳ７)。
【００４７】
いま、検体粘着シート１が交換されなければ、ステップＳ７でセンサＩＤの一致が検出されるため、センサＩＤを保存するためのステップＳ８の処理とタイマをクリアスタートするためのステップＳ９の処理は、それぞれスキップされてステップＳ１０以降の処理が実行される。以下、測定タイミングに到達する毎に、上述の動作が繰り返される。なお、タイマ時間が測定タイミングに到達する前において(ステップＳ１８でＮＯ)、測定ボタンが操作された場合にも(ステップＳ１９でＹＥＳ)、測定ボタンが操作される毎に、ステップＳ２以降に移り、上述の動作が行われる。なお、測定ボタンは、タイマで測定タイミングを設定している以外のタイミングで測定する場合や、検体粘着シート１を携帯型情報端末２が常時検出できない人体の部位に貼り付けた場合に操作される。検体粘着シート１を携帯型情報端末２が常時検出できない人体の部位に貼り付けた場合には、携帯型情報端末２を検体粘着シート１の近傍に位置させ、その後、測定ボタンを操作する。
【００４８】
このような測定期間中において、タイマ時間がセンサ設定テーブル２５に設定されている「センサ交換時間」に到達したかを監視しており(ステップＳ２０)、「センサ交換時間」に到達したことを検出すると、ＣＰＵ２０１は、センサ交換を促すための警告メッセージを表示出力させる(ステップＳ２１)。また、ＣＰＵ２０１は、測定終了ボタン(図示せず)の操作有無をチェックしており(ステップＳ２２)、測定終了ボタンが操作されなければ、ステップＳ１７に移り、以下、上述の動作が引き続いて行われる。
【００４９】
この結果、現在、装着されている古い検体粘着シート１を剥がし取って同一種類の新しい検体粘着シート１を装着することによって検体粘着シート１が取り替えられた場合には、ステップＳ７でそのことが検出されてステップＳ８に移り、今まで装着されていた古いセンサのＩＤのほかに、新たに装着されたセンサのＩＤが測定結果テーブル２３にセットされると共に、タイマをクリアスタートさせた後に(ステップＳ９)、上述の動作が繰り返される。これによって古い検体粘着シート１と新しい検体粘着シート１によって得られた測定結果は、連続的な情報として測定結果テーブル２３に記憶管理されることになる。なお、測定期間中において、測定終了ボタンが操作された場合には(ステップＳ２２でＹＥＳ)、生体情報測定処理を終了させてその他の処理に移る。
【００５０】
以上のように、この実施例において検体粘着シート１は、薄膜基板１３の片面に粘着層１４を設けると共に、この粘着層１４に剥離可能に接着された剥離層１５を設け、かつ、この粘着層１４と剥離層１５との間にバイオセンサ１６とＲＦＩＤ１８を配置し、このＲＦＩＤ１８に設定されているセンサＩＤとバイオセンサ１６によって得られた生体情報とを発信出力する構成であり、この検体粘着シート１との間で送受信動作を行う携帯型情報端末２は、検体粘着シート１の剥離層１５を剥がし取ることによって検体粘着シート１が粘着層１４によって検体に接着されている状態においてＲＦＩＤ１８から発信出力されたセンサＩＤ、生体情報を受信すると共に、このセンサＩＤと生体測定値とを対応付けて記憶管理し、この生体測定値を案内出力するようにしたから、検体粘着シート１と携帯型情報端末２とを分離した構成とすることができると共に、検体粘着シート１を人体の皮膚などに貼り付けるだけでよく、誰でも何処でも手軽に生体情報を測定することが可能となる。この場合、検体粘着シート１と携帯型情報端末２とを分離しても、携帯型情報端末２は、センサＩＤと測定値とを対応付けて記憶管理するために、不用意に検体粘着シート１が剥がれ落ちたり、新しい検体粘着シート１に交換されたとしても、センサと測定結果との対応付けを保持することができ、生体情報を正確に測定することが可能となる。
【００５１】
この場合、検体粘着シート１の薄膜基板１３は、曲面形状の検体にも装着可能とするために可撓性フイルム部材によって構成するようにしたから、人体のどの部位であっても検体粘着シートを確実に装着することができる。
また、検体粘着シート１内のＲＦＩＤ１８は、そのアンテナで受信した受信電波の電気エネルギーを蓄積し、この蓄積エネルギーを利用してセンサＩＤ、生体情報を発信出力するようにしたから、非接触電力伝送技術によって電池を不用とすることができ、検体粘着シートの小型薄型化を実現することが可能となる。
【００５２】
一方、携帯型情報端末２は、検体粘着シート１との間で無線電波を送受信するＲＦＩＤ用アンテナ２２を有し、また、予め決められている測定タイミングに到達したか否かを監視し、この測定タイミングに到達したことが検出された際に、当該アンテナ２２に対して給電を行うことによって検体粘着シート１からセンサＩＤ、生体情報を発信出力させるようにしたから、消費電力を極力抑えることができ、内蔵電池の長寿命化を図ることができるなど、実用性に富んだものとなる。
【００５３】
携帯型情報端末２は、新たなセンサＩＤを受信したか否かに基づいて新たな検体粘着シート１が装着されたか否かを判別すると共に、新たな検体粘着シート１が装着された際に、この検体粘着シート１が装着されてからの経過時間を計時し、この経過時間に対応する補正値で当該経過時の生体測定値を補正するようにしたから、バイオセンサ１６を構成する酵素などの生体物質が経時的な変化によって劣化したとしても、その影響を防ぎ、生体情報を常に正確に測定することが可能となる。
【００５４】
ここで、受信したセンサＩＤに基づいてバイオセンサ１６の種類を判別すると共に、バイオセンサの種類に応じた補正値で生体情報を補正するようにしたから、センサを構成する生体物質の劣化などによる影響をセンサの種類毎に補正することができる。また、現在装着されているバイオセンサ１６に変わって同一種類のセンサが新たに装着されてセンサの交換が行われた際に、今までに装着されていたセンサと新たに装着されたセンサによって得られた生体測定値を連続的な情報として記憶管理するようにしたから、不用意に検体粘着シート１が剥がれ落ちたり、新しい検体粘着シート１に交換されたとしても、センサと測定結果との対応付けを保持することができ、生体情報を正確に測定することが可能となる。
【００５５】
携帯型情報端末２は、センサＩＤを受信する毎に、受信したセンサＩＤと予め設定されているセンサ識別情報とを比較することによって正規なバイオセンサであるか否かを判別し、正規なバイオセンサであることが判別されたことを条件に、当該センサＩＤに対応して生体測定値を記憶管理するようにしたから、たとえば、検体粘着シート１を装着している本人以外の第三者がその携帯型情報端末２を使用して生体測定値を盗み読みすることを効果的に防止することができ、生体情報という個人情報の確実なセキュリティ管理が可能なものとなる。
【００５６】
携帯型情報端末２は、新たなセンサＩＤを受信したか否かに基づいて新たな検体粘着シート１が装着されたか否かを判別すると共に、新たな検体粘着シート１が装着された際に、この検体粘着シート１が装着されてからの経過時間を計時し、この経過時間が予め決められているセンサ交換時期に達したことが検出された際に、検体に装着されている現在の検体粘着シートを交換すべき旨を報知するようにしたから、検体粘着シートを交換時期を即座に知ることができ、より正確な測定が可能となる。
また、携帯型情報端末２は、同一のセンサＩＤに対応付けて記憶管理されている複数の生体測定値に基づいてその推移状態をグラフ表示するようにしたから、たとえば、最大値のような１つの測定結果に限らず、経時的に変化する測定値を知ることができる。
【００５７】
なお、上述した実施例においては、検体粘着シート１を手首付近の内側に貼り付けるようにしたが、その装着部位は任意であり、たとえば、耳たぶなどであってもよい。また、バイオセンサ１６として、酵素センサを例示したが、その他のバイオセンサであっても同様に適用可能である。
また、上述した実施例においては、生体測定値の経時的な変化を示す推移グラフを表示するようにしたが、その標準値も合わせて表示するようにしてもよい。また、異常発生時に警告音を発生出力させるようにしてもよい。
【００５８】
また、上述した実施例においては、現在日時を表示する時計表示画面から生体情報を表示するグラフ表示画面に切り換えるようにしたが、時計表示画面とグラフ表示画面とを同一画面上に合わせて表示するようにしてもよい。
また、上述した実施例においては、携帯型情報端末２をデジタル表示式の腕時計とした場合を例示したが、液晶表示部を有する指針式の腕時計であってもよく、また、腕時計に限らず、携帯電話、ＰＤＡなどの携帯型情報機器であってもよく、勿論、生体情報測定専用の携帯装置であってもよい。
【００５９】
一方、コンピュータに対して、上述した各手段を実行させるためのプログラムコードをそれぞれ記録した記録媒体（たとえば、ＣＤ−ＲＯＭ、フレキシブルディスク、ＲＡＭカード等）を提供するようにしてもよい。すなわち、コンピュータが読み取り可能なプログラムコードを有する記録媒体であって、薄膜基板の片面に粘着層を設けると共に、この粘着層に剥離可能に接着された剥離層を設け、かつ、この粘着層と剥離層との間にバイオセンサと電子タグとを配置した薄型の検体粘着シートが検体に接着されている状態において前記電子タグ内に設定されているセンサ識別情報とバイオセンサによって得られた生体情報が当該検体粘着シート側から発信出力された際に、このセンサ識別情報、生体情報を受信する機能と、受信したセンサ識別情報と生体情報とを対応付けて記憶管理する機能と、記憶管理されている生体情報を出力する機能とを実現させるためのプログラムを記録したコンピュータが読み取り可能な記録媒体を提供するようにしてもよい。
【図面の簡単な説明】
【００６０】
【図１】検体粘着シート１と携帯型情報端末２とを人体の腕に装着した状態を示した外観図。
【図２】(Ａ)は、検体粘着シート１の全体側面図、(Ｂ)は、検体粘着シート１の主要部分における拡大断面図。
【図３】検体粘着シート１から剥離層１５および中間保護層１９を取り除くと共に、その裏側(検体側)から検体粘着シート全体を見た場合の図。
【図４】(Ａ)は、ＲＦＩＤ１８の側面図、(Ｂ)は、その裏面図。
【図５】携帯型情報端末(腕時計)２の外観正面図。
【図６】ＲＦＩＤ１８の回路構成を示した図。
【図７】携帯型情報端末(腕時計)２の回路構成図。
【図８】携帯型情報端末２に設けられている測定結果テーブル２３の内容を示した図。
【図９】携帯型情報端末２に設けられている補正値テーブル２４の内容を示した図。
【図１０】携帯型情報端末２に設けられているセンサ設定テーブル２５の内容を示した図。
【図１１】携帯型情報端末２に設けられているセンサ認証テーブル２６の内容を示した図。
【図１２】携帯型情報端末２側において、測定開始ボタンが操作された際に実行開始される生体情報測定処理を示したフローチャート。
【符号の説明】
【００６１】
１  検体粘着シート
２  携帯型情報端末
１３  薄膜基板
１４  粘着層
１５  剥離層
１６  バイオセンサ
１７  アンテナ
１８  電子タグ(ＲＦＩＤ)
２２  ＲＦＩＤ用アンテナ
２３  測定結果テーブル
２４  補正値テーブル
２５  センサ設定テーブル
２６  センサ認証テーブル
１０１、２０１  ＣＰＵ
１０２  電波送受信部
１０４  蓄積部
１０５  ＥＥＰＲＯＭ
１０６  測定回路
２０６  入力部
２０７  電源回路
２０８  電波送受信部
【図１】
2006058263.tif 000003
【図２】
2006058263.tif 000004
【図３】
2006058263.tif 000005
【図４】
2006058263.tif 000006
【図５】
2006058263.tif 000007
【図６】
2006058263.tif 000008
【図７】
2006058263.tif 000009
【図８】
2006058263.tif 000010
【図９】
2006058263.tif 000011
【図１０】
2006058263.tif 000012
【図１１】
2006058263.tif 000013
【図１２】
2006058263.tif 000014